(57)【特許請求の範囲】
【請求項１】
ロールスクリーンにおけるスクリーンの下端とともにウェイトバーに対して取り付けられ、前記スクリーンの昇降操作を行う操作具を支持する操作具支持装置において、
前記ウェイトバーは、周回方向における側面部と、前記側面部が備える被係合部とを備え、
前記被係合部は、前記ウェイトバーの長手方向に沿った、相対する第１端部と第２端部を備え、
前記操作具支持装置は、前記操作具が取り付けられるとともに、前記ウェイトバーに対して取り付けられる取付部材と、
前記取付部材に対して変位可能に取り付けられ、前記取付部材が前記ウェイトバーに対して取り付けられた状態に前記取付部材をロックするロック部材とを備え、
前記取付部材は、
前記側面部に沿って配置される本体部と、
前記ウェイトバーに対して係合する第１係合部とを備え、
前記ロック部材は、
前記被係合部に対して係合する第２係合部を備え、
前記第２係合部が、前記被係合部と係合した位置であるロック位置にあるとき、前記第２係合部の前記被係合部との係合関係を通じて、前記第２係合部が前記被係合部から外れる方向に変位することが規制され、
前記第２係合部が、前記第２端部を押圧しながら乗り越えることで、前記ロック位置から、前記被係合部との係合が解除された位置であるアンロック位置に変位する
操作具支持装置。
【請求項２】
前記被係合部は、溝部又は貫通孔である
請求項１に記載の操作具支持装置。
【請求項３】
前記ロック部材は、前記第２係合部を変位させる操作部を備え、
前記操作部は、レバー形状を有し、
前記操作部は、前記第２係合部がロック位置にあるとき、前記側面部に位置する
請求項１または２に記載の操作具支持装置。
【請求項４】
前記ロック部材は、前記取付部材に対して回動可能に取り付けられており、前記取付部材に対して一方向に回動されたときに、前記第２係合部が前記被係合部に対して係合する
請求項１ないし３のうち何れか１項に記載の操作具支持装置。
【請求項５】
前記被係合部は、前記ウェイトバーの下部に位置している
請求項１ないし４のうち何れか１項に記載の操作具支持装置。
【請求項６】
前記第２係合部は、前記ロック位置に位置しているときに限って、前記被係合部に係合する
請求項１ないし５のうち何れか１項に記載の操作具支持装置。
【請求項７】
前記取付部材は、プルハンドルが取り付けられる支持片を備えている
請求項１ないし６のうち何れか１項に記載の操作具支持装置。
【請求項８】
前記被係合部は、第２被係合部であり、
前記ウェイトバーは、前記側面部の前記周回方向における前記第２被係合部と異なる位置に第１被係合部を備え、
前記第１係合部は、前記第１被係合部と係合する
請求項１ないし７のうち何れか１項に記載の操作具支持装置。
【請求項９】
前記本体部は、前記側面部に配置された状態において、前記ロック部材の前記本体部に対する回動支点が前記被係合部に近い位置で前記ロック部材を回動可能に支持しており、
前記ロック部材は、前記第２係合部を変位させる操作部を備え、
前記第２係合部は、前記第２端部と係合し、
前記ロック部材において、前記回動支点から前記第２係合部の先端部までの長さが前記回動支点から前記操作部の先端部までの長さより短い
請求項１に記載の操作具支持装置。
【請求項１０】
前記本体部は、前記側面部に配置された状態において、前記ロック部材を回動可能に支持しており、
前記ロック部材は、前記第２係合部を変位させる操作部であって、前記第２係合部が前記ロック位置にあるとき、前記側面部に位置する前記操作部を備え、
前記第２係合部が、前記第１端部よりも前記操作部の近くに位置する前記第２端部を押圧しながら乗り越えることで、前記ロック位置から前記アンロック位置に変位する
請求項１に記載の操作具支持装置。
【請求項１１】
スクリーンと、
前記スクリーンの下端に備えられるウェイトバーと、
前記ウェイトバーに前記スクリーンの下端とともに取り付けられ、前記スクリーンの昇降操作を行う操作具を支持する操作具支持装置とを備え、
前記操作具支持装置は、請求項１ないし１０のうち何れか１項に記載の操作具支持装置であるロールスクリーン。
【発明の詳細な説明】
【技術分野】
【０００１】
本発明は、スクリーンの昇降操作を行う操作具を支持する操作具支持装置およびロールスクリーンに関する。
【背景技術】
【０００２】
特許文献１には、ロールスクリーンにおけるスクリーンの昇降操作を行う操作具を支持する操作具支持装置が記載されている。この操作具支持装置は、操作具が取り付けられるとともに、前記ウェイトバーに対して取り付けられる取付部材と、取付部材がウェイトバーに対して取り付けられた状態にロックするロック部材とを備えている。ウェイトバーは、長手方向に沿って、上部溝部と、下部溝部とを備えている。取付部材は、ウェイトバーの側面部に沿って配置される本体部と、上部溝部に係合する上部係合部とを備えている。
また、ロック部材は、取付部材に取り付けられ、下部溝部に係合する下部係合部を備えている。また、ロック部材は、支持軸を備え、取付部材は、支持軸が係合される支持孔を備えている。支持孔は、上下方向の軸線に沿った第１孔と、第１孔と連続し当該軸線に対して鈍角に位置する第２孔とを備えている。
【０００３】
支持軸が第１孔に係合した位置あるとき、ロック部材は、ロック位置にあり、下部係合部が下部溝部に係合した状態にある。また、支持軸が第２孔に係合した位置にあるとき、ロック部材は、アンロック位置にあり、アンロック位置にあるときに限って、下部係合部が下部溝部から退避した状態にある。さらに、支持軸が第１孔から第２孔に変位する過渡状態にあるときには、一時的に、第１孔の下端から持ち上げられ、その後、第２孔へと変位する。
【先行技術文献】
【特許文献】
【０００４】
【特許文献１】特許第５７５５０４８号公報
【発明の概要】
【発明が解決しようとする課題】
【０００５】
この操作具支持装置において、ロック部材によるロックを解除するには、ロック位置から一度過渡状態にロック部材を変位させ、過渡状態からさらにアンロック位置にまでロック部材を移動させる必要がある。このため、ロック位置からアンロック位置まで変位させる操作が複雑である。
本発明は、以上のような課題に鑑みてなされたものであり、ウェイトバーに対する着脱作業を容易に行うことを可能とした操作具支持装置およびロールスクリーンを提供することを目的とする。
【課題を解決するための手段】
【０００６】
上記課題を解決するための操作具支持装置は、ロールスクリーンにおけるスクリーンの下端とともにウェイトバーに対して取り付けられ、前記スクリーンの昇降操作を行う操作具を支持する操作具支持装置において、前記ウェイトバーは、周回方向における側面部と、前記側面部が備える被係合部とを備え、前記操作具支持装置は、前記操作具が取り付けられるとともに、前記ウェイトバーに対して取り付けられる取付部材と、前記取付部材に対して変位可能に取り付けられ、前記取付部材が前記ウェイトバーに対して取り付けられた状態に前記取付部材をロックするロック部材とを備え、前記取付部材は、前記側面部に沿って配置される本体部と、前記ウェイトバーに対して係合する第１係合部とを備え、前記ロック部材は、前記被係合部に対して係合する第２係合部を備え、前記第２係合部が、前記被係合部と係合した位置であるロック位置にあるとき、前記第２係合部の前記被係合部との係合関係を通じて、前記第２係合部が前記被係合部から外れる方向に変位することが規制される。
【０００７】
上記操作具支持装置において、前記被係合部は、溝部又は貫通孔で構成してもよい。
上記操作具支持装置において、前記ロック部材は、前記第２係合部を変位させる操作部を備え、前記操作部は、レバー形状を有し、前記操作部は、前記第２係合部がロック位置にあるとき、前記側面部に位置する構成としてもよい。
【０００８】
上記操作具支持装置において、前記ロック部材は、前記取付部材に対して回動可能に取り付けられており、前記取付部材に対して一方向に回動されたときに、前記第２係合部が前記被係合部に対して係合する構成としてもよい。
上記操作具支持装置において、前記被係合部は、前記ウェイトバーの下部に位置している構成としてもよい。
【０００９】
上記操作具支持装置において、前記第２係合部は、前記ロック位置に位置しているときに限って、前記被係合部に係合する構成としてもよい。
上記操作具支持装置において、前記取付部材は、プルハンドルが取り付けられる支持片を備えている構成としてもよい。
【００１０】
上記操作具支持装置において、前記被係合部は、第２被係合部であり、前記ウェイトバーは、前記側面部の前記周回方向における前記第２被係合部と異なる位置に第１被係合部を備え、前記第１係合部は、前記第１被係合部と係合する構成としてもよい。
上記操作具支持装置において、前記被係合部は、前記ウェイトバーの長手方向に沿った、相対する第１端部と第２端部とを備え、前記本体部は、前記側面部に配置された状態において、前記ロック部材の前記本体部に対する回動支点が前記被係合部に近い位置で前記ロック部材を回動可能に支持しており、前記ロック部材は、前記第２係合部を変位させる操作部を備え、前記第２係合部は、前記第２端部と係合し、前記ロック部材において、前記回動支点から前記第２係合部の先端部までの長さが前記回動支点から前記操作部の先端部までの長さより短い構成としてもよい。
【００１１】
上記課題を解決するためのロールスクリーンは、スクリーンと、前記スクリーンの下端に備えられるウェイトバーと、前記ウェイトバーに前記スクリーンの下端とともに取り付けられ、前記スクリーンの昇降操作を行う操作具を支持する上記の操作具支持装置とを備える。
【発明の効果】
【００１２】
本発明によれば、ウェイトバーに対する着脱作業を容易に行うことを可能とした操作具支持装置およびロールスクリーンを提供することができる。
【図面の簡単な説明】
【００１３】
【図１】一実施形態におけるロールスクリーンを前面側から見た横型ブラインドの斜視図。
【図２】一実施形態におけるロールスクリーンを後面側から見た横型ブラインドの斜視図。
【図３】一実施形態におけるウェイトバーの側面図。
【図４】一実施形態における操作具支持装置の分解斜視図。
【図５】一実施形態における操作具支持装置をウェイトバーに取り付ける状態を示す断面図。
【図６】一実施形態における操作具支持装置をウェイトバーに取り付けた状態を示す断面図。
【図７】一実施形態におけるロック部材の動作の遷移を示す要部断面図。
【図８】操作具としてのプルハンドルを取り付けることができる操作具支持装置の分解斜視図。
【図９】ロック位置のときに操作部がウェイトバーの後面側側面部に位置する変形例を示す図であり、（ａ）は、第２係合部がアンロック位置にあるときの断面図、（ｂ）は、第２係合部がロック位置にあるときの断面図。
【図１０】第２係合部と回動軸とを離間させたロック部材の変形例を示す図であり、（ａ）は、第２係合部がアンロック位置にあるときの断面図、（ｂ）は、第２係合部がロック位置にあるときの断面図。
【図１１】第２係合部をウェイトダンパを取り付けるウェイトバーの係止溝に係合させる変形例を示す図であり、（ａ）は、第２係合部がアンロック位置にあるときの断面図、（ｂ）は、第２係合部がロック位置にあるときの断面図。
【図１２】第２係合部がウェイトダンパの第１溝部に係合させる変形例を示す図であり、（ａ）は、第２係合部がアンロック位置にあるときの断面図、（ｂ）は、第２係合部がロック位置にあるときの断面図。
【図１３】ロック部材が取付部材に上下方向にスライド可能に取り付けられた変形例を示す断面図。
【図１４】ロック位置にあるとき、操作部がウェイトバーの前面側側面部に対して突出した状態となる変形例の断面図。
【図１５】第２係合部を凹部で構成した変形例の断面図。
【発明を実施するための形態】
【００１４】
以下、一実施形態におけるロールスクリーンについて図面を参照して説明する。
図１および図２に示すように、ロールスクリーン１は、スクリーン２が取付枠（不図示）に対して巻き取り可能に吊り下げられている。取付枠は、その上部に設けられた２つのブラケット（不図示）を介して、窓の上枠などに固定され、取付枠の両端には、それぞれ下方へ延びるサイドブラケット（不図示）が取り付けられている。両サイドブラケット間には、巻取軸（不図示）が回転可能に配設されており、スクリーン２の上端が巻取軸に固定されている。巻取軸の内部には、スクリーン２を巻取軸に巻き上げる巻き上げ装置（不図示）が設けられている。スクリーン２の下端には、ウェイトバー１０が取り付けられている。ウェイトバー１０は、スクリーン２の下端に備えられた筒状部３に対して挿入されている。ウェイトバー１０には、筒状部３を介して操作具支持装置２０が取り付けられ、操作具支持装置２０は、ウェイトバー１０の長手方向のほぼ中央部に取り付けられる。操作具支持装置２０には、操作具としての操作紐４が支持され、操作紐４は、ウェイトバー１０の長手方向のほぼ中央部より垂下されている。操作紐４には、把持部材４ａが設けられている。
そして、把持部材４ａが下方に引かれ続ける操作が行われると、スクリーン２が巻取軸から巻戻され、それと共に、巻き上げ装置に内蔵されたスプリングモーターが付勢力を蓄積する。その後、把持部材４ａを引く力が把持部材４ａから解除されると、巻き上げ装置のロックが作動し、巻取軸から巻戻された状態で、スクリーン２の下降は止る。一方、把持部材４ａが下方に引かれ、その直後に引く力が解除される操作が行われると、巻き上げ装置のロックが解除され、スプリングモーターの付勢力に従って巻取軸が回転し、それによって、スクリーン２が巻取軸にゆっくりと巻き取られる。その後、スクリーン２が巻取軸にゆっくり巻き取られている間に、把持部材４ａが下方に引かれ、その直後に引く力が解除される操作が再び行われると、巻き上げ装置のロックが再び作動し、巻取軸に巻き取られた状態で、スクリーン２の上昇は止る。
【００１５】
〔ウェイトバー〕
図３に示すように、ウェイトバー１０は、アルミ押出材である中空棒状のバー本体１１と、バー本体１１に取り付けられるウェイトダンパ１２とを備えている。バー本体１１は、縦断面形状が楕円形状を有し周回方向の側面部が円弧状面で構成されている。そして、ロールスクリーン１の前面は、部屋内に位置し、バー本体１１の前面は、前面側側面部１５を構成する。また、ロールスクリーン１の後面は、部屋外に位置し、バー本体１１の後面は、後面側側面部１６を構成する。バー本体１１の上端部には、第１凹部１３が、バー本体１１の長手方向に沿って延設されており、バー本体１１の下端部には、被係合部の一例である第２凹部１４が、バー本体１１の長手方向に沿って延設されている。
第１凹部１３は、各々が互いに対向する前後一対の端部に挟まれ、一方の端部は、ロールスクリーン１の前面側に位置する第１前端部１３ａであり、他方の端部は、ロールスクリーン１の後面側に位置する第１後端部１３ｂである。第２凹部１４も、各々が互いに対向する前後一対の端部に挟まれ、一方の端部は、ロールスクリーン１の前面側に位置する第２前端部１４ａであり、他方の端部は、ロールスクリーン１の後面側に位置する第２後端部１４ｂである。
【００１６】
ウェイトダンパ１２は、ロールスクリーン１の後面側に位置するバー本体１１の後面側側面部１６を構成する部材であり、ゴム材などの弾性材料で形成され、取付枠や壁などとの衝撃を緩和する。ウェイトダンパ１２は、縦断面形状が扇型形状を有している。後面側側面部１６は、ウェイトダンパ１２に取り付けられた状態において、円弧状面に構成される。ウェイトダンパ１２の裏面は、長手方向に沿って、Ｔ字形を有する係止片１２ａを備えている。一方、ウェイトバー１０には、後面側側面部１６側の取付凹部１７に、係止片１２ａが係止される係止溝１２ｂが長手方向に沿って設けられている。ウェイトダンパ１２は、係止片１２ａが係止溝１２ｂに係止されることによって、取付凹部１７に取り付けられ、後面側側面部１６を構成する。
【００１７】
〔操作具支持装置〕
図４に示すように、操作具支持装置２０は、ウェイトバー１０の後面側側面部１６に取り付けられる取付部材２１と、取付部材２１に対して回動可能に取り付けられるロック部材３１とを備えている。
【００１８】
取付部材２１は、ウェイトバー１０の後面側側面部１６に倣った形状を有する本体部２２を備えている。具体的には、本体部２２は、側面視において、ウェイトバー１０の形状に倣った円弧状の形状を有する。本体部２２の上端部は、ウェイトバー１０の第１凹部１３に係合する第１係合部２３を備えている。第１係合部２３は、先端部が係合爪形状を有しており、第１凹部１３の内部に進入し、第１後端部１３ｂに係合する。本体部２２内面には、ウェイトバー１０の長手方向に沿うように、直線状のリブ２６が形成されている。リブ２６は、操作具支持装置２０がウェイトバー１０に取り付けられたとき、ウェイトダンパ１２に圧接されることで、取付部材２１をウェイトバー１０の長手方向にずれにくくする。
【００１９】
本体部２２の下端部は、ウェイトバー１０の長手方向に沿う方向の幅方向のほぼ中央部に、操作紐４の端部を支持する操作具支持部２４を備えている。操作具支持部２４は、操作紐４の端部が挿通される挿通孔２４ａが形成されており、挿通孔２４ａから内側に通された操作紐４の端部は、挿通孔２４ａよりも内側で係止される。
【００２０】
本体部２２において、操作具支持部２４の両側には、ロック部材３１を回動可能に支持する回動支持部２５が設けられている。各回動支持部２５は、上部に開口端を有するＣ字形状を有しており、ロック部材３１の回動軸３２ａが軸支される。各回動支持部２５は、本体部２２が後面側側面部１６に位置したとき、第２凹部１４の第２後端部１４ｂよりも第２前端部１４ａの近くに位置する。２つの回動支持部２５は、互いに離間し、２つの回動支持部２５の間には、ロック部材３１の軸部３２が配置される空間部が構成されている。
【００２１】
ロック部材３１は、回動軸３２ａを備えた軸部３２と、ウェイトバー１０の第２凹部１４に係合する第２係合部３３と、ロック部材３１を取付部材２１に対して回動操作する操作部３４とを備えている。軸部３２は、各々が互いに外側に向かって突出する２つの回動軸３２ａを備える。軸部３２は、２つの回動支持部２５の間の空間部に配置され、各回動軸３２ａは、各回動支持部２５に軸支される。
【００２２】
軸部３２は、１つの方向に向かって突出した第２係合部３３を備えている。回動軸３２ａが回動支持部２５に軸支され、それによって、ロック部材３１が取付部材２１に対して回動可能な状態において、第２係合部３３は、第２凹部１４に対して出入り可能である。そして、第２係合部３３が第２凹部１４に進入したときに限って、第２係合部３３と第２前端部１４ａとが係合する。具体的に、第２係合部３３は、２つの係合面を有する三角突起形状を有している。２つの係合面のうちで、操作部３４に近い面が第１係合面３３ａであり、第１係合面３３ａに対して反対側の面が第２係合面３３ｂとなる。そして、２つの係合面がなす角が鋭角となるように、第１係合面３３ａと第２係合面３３ｂとが設けられている。ロック部材３１が取付部材２１に対して回動する過程において、第１係合面３３ａと第２係合面３３ｂとは、第２凹部１４の第２前端部１４ａと係合する。
【００２３】
軸部３２は、レバー形状を有した操作部３４を備えている。操作部３４は、軸部３２に対して第２係合部３３の突出方向とほぼ平行な方向に延び、ウェイトバー１０の前面側側面部１５の形状に倣う湾曲した形状を有している。図７に示すように、回動支持部２５に回動軸３２ａが軸支された状態において、回動軸３２ａの中心がロック部材３１の回動支点３５となる。回動軸３２ａが回動支持部２５に軸支された状態において、第２係合部３３の第１係合面３３ａと第２係合面３３ｂとで構成される先端部の軌跡３０は、第２前端部１４ａと交差する。したがって、ロック部材３１を回動する操作を行うときには、第２係合部３３が第２前端部１４ａを乗り越える必要がある。この点、回動支点３５から第２係合面３３ｂまでの長さＬ２および回動支点３５から第１係合面３３ａまでの長さＬ３は、回動支点３５から操作部３４の先端部までの長さＬ１より短く設定されている。このため、ロック部材３１を操作部３４により回動操作する際の操作力は、第２係合部３３が第２前端部１４ａを乗り越えるときに、作用部位である第２係合部３３に伝わる。この際、操作部３４を力点とするてこの原理によって、作用部位である第２係合部３３で操作力が増幅される。結果として、第２係合部３３が第２前端部１４ａを乗り越えるための操作力を小さくすることができる。
【００２４】
次に、以上のように構成されたロールスクリーン１の作用について説明する。図５および図７に示すように、スクリーン２の筒状部３に挿入されたウェイトバー１０に操作具支持装置２０を取り付ける際には、まず、操作部３４の先端部や第２係合部３３の先端部が下方に向くように、ロック部材３１は配置される。そして、取付部材２１の第１係合部２３が筒状部３の布上から第１凹部１３の第１後端部１３ｂに係合される。次いで、本体部２２は、バー本体１１の後面側側面部１６に沿うように配置される。すると、回動軸３２ａおよび第２係合部３３は、第２凹部１４の近傍に位置する。このとき、操作部３４は、ウェイトバー１０の下方に延びるように位置している。
【００２５】
図６および図７に示すように、次いで、操作部３４を前面側側面部１５に近づける上方向（図中矢印方向）に回動する。すると、回動支点３５に対して操作部３４とは反対側に位置する第２係合部３３は、回動支点３５を中心にして、第２凹部１４に対して外側となる位置から第２凹部１４に向けて変位する。すると、先ず、第２係合部３３の第２係合面３３ｂが第２前端部１４ａを押圧しながら第２前端部１４ａを乗り越え、第２係合部３３の全体が第２凹部１４の内側に位置する。そして、第１係合面３３ａは、筒状部３の布上から第２前端部１４ａと係合する。これにより、第２係合部３３は、第２凹部１４内に位置するロック位置に変位する。そして、ロック位置において、操作部３４は、前面側側面部１５に対して沿うように位置し、障害物などが引っかかりにくい状態となる。また、第２係合部３３は、第１係合面３３ａと第２前端部１４ａとの係合力によって、ロック位置に維持される。このような、第１係合面３３ａと第２前端部１４ａとの係合関係によって、通常の使用や衝撃で加わるような力では、第１係合面３３ａが第２前端部１４ａを図中反矢印方向へ乗り越えることができない状態となる。
【００２６】
ロックを解除するときには、ロック部材３１の操作力に基づく作用力が係合力を越えることによって、前面側側面部１５から離れる図中反矢印方向に操作部３４が変位する。この際、第２係合部３３の第１係合面３３ａが第２前端部１４ａを押圧しながら第２前端部１４ａを乗り越え、それによって、第２係合部３３の全体が第２凹部１４に対する外側に変位する。これにより、第２係合部３３は、ロック位置からアンロック位置に変位する。結果として、第１係合部２３を第１凹部１３から外すだけで、操作具支持装置２０をウェイトバー１０から取り外すことができる。
【００２７】
以上のようなロールスクリーン１は、以下のように列挙する効果を得ることができる。
（１）操作具支持装置２０は、ロック部材３１を回動操作して、第２係合部３３をアンロック位置からロック位置に変位させるだけで、ウェイトバー１０に対する着脱作業を容易に行うことができる。
（２）取付部材２１に対してロック部材３１は、回動軸３２ａを回動支持部２５に対して取り付けるだけであり、組立作業が簡単であり、また、動作も回動するだけの簡素なものとなる。したがって、壊れにくく、また、修理も簡単なものとなる。また、操作具支持装置２０の小型化を実現することができる。
（３）操作具支持装置２０の構成要素のなかで、スクリーン２の部屋内側には、ロック部材３１の操作部３４が位置するだけであり、取付部材２１は、部屋外に位置するので、部屋内からの意匠を良くすることができる。
（４）操作部３４は、レバー形状を有し、前面側側面部１５に沿うように位置するので、障害物などが引っかかりにくい状態となって、不用意に、ロック部材３１がアンロック位置からロック位置の方向に回動してしまうことを防ぐことができる。
（５）第１係合部２３が第１凹部１３に係合され、第２係合部３３が第２凹部１４に係合されることで、操作具支持装置２０は、ウェイトバー１０に対して強固に取り付けることができる。
（６）回動支点３５から第１係合面３３ａまでの長さＬ２および回動支点３５から第２係合面３３ｂまでの長さＬ３は、回動支点３５から操作部３４の先端部までの長さＬ１より短く設定されている。このため、ロック部材３１を操作部３４により回動操作する際の操作力は、てこの原理により、小さくなる。したがって、スクリーン２には、厚手の生地を用いることもできる。
【００２８】
なお、以上のようなロールスクリーン１は、さらに、以下のように適宜変更して実施することもできる。
・図８に示すように、操作具としては、プルハンドル５を用いることもできる。プルハンドル５は、全体形状がＵ字形状を有し、各端部に、ウェイトバー１０の長手方向と平行となるような支持軸５ａを備えている。また、取付部材２１には、回動支持部２５の外側に、支持軸５ａを支持する支持片６を備えている。各支持片６は、上側を開口した例えばＶ字形状を有しており、支持軸５ａを回動可能に支持する。これにより、取付部材２１には、プルハンドル５を取り付けることができる。この場合、操作具支持部２４は、割愛してもよい。また、プルハンドル５を操作紐４と共に取り付ける場合には、操作具支持部２４と支持片６を備える取付部材２１を構成することになる。また、プルハンドル５に操作紐４を取り付けるようにしてもよい。
【００２９】
・図９（ａ）および（ｂ）に示すように、ロック状態において、ロック部材３１は、レバー形状を有する操作部３４が回動支点３５よりも後面側側面部１６側に位置するようにしてもよい。この場合には、ユーザから目に付くロールスクリーン１の前面に操作部３４が露出することがなくなり、部屋内からのウェイトバー１０の部分における意匠を良くすることができる。
【００３０】
・取付部材２１がロック部材３１を回動可能に支持する位置は、第２凹部１４の周辺でなくてもよい。例えば、図１０（ａ）および（ｂ）に示すように、ロック部材３１における先端に第２係合部３３が位置し、ロック部材３１の基端に回動軸３２ａが位置するように、第２係合部３３と回動軸３２ａとが互いに離間してもよい。
また、第１係合部２３の係合する対象は、前面側側面部１５の一部である第１凹部１３に限らず、前面側側面部１５の全体であってもよい。また、第２係合部３３が係合するウェイトバー１０における第２凹部１４の位置は、ウェイトバー１０のなかの下部に限定されるものではない。図１０に示す例では、第１係合部２３の係合する対象が前面側側面部１５の全体であり、また、第２係合部３３の係合する対象が第１凹部１３である。
【００３１】
具体的に、ロック部材３１は、一端部に回動軸３２ａを設けて回動支点とし、回動軸３２ａとは反対側の他端部に第２係合部３３を設けている。そして、第２係合部３３を、上述した例とは逆に第１凹部１３に係合させるようにする。
取付部材２１は、ウェイトバー１０の前面側側面部１５のほぼ全体を覆う前面側覆い片３６と、後面側側面部１６を第２凹部１４から上側に向かって半分程度覆う後面側覆い片３７とを備えている。前面側覆い片３６が第１係合部として機能する。そして、後面側覆い片３７の上側の端部において、ロック部材３１が回動可能に取り付けられている。
【００３２】
この場合、ロック部材３１の第２係合部３３がアンロック位置の状態にあるときに、ウェイトバー１０を前面側覆い片３６と後面側覆い片３７とで挟み込むようにして、取付部材２１がウェイトバー１０に対して取り付けられる。この後、ロック部材３１は、第２係合部３３が第１凹部１３の方向（図中矢印方向）に回動され、第２係合部３３は、第１凹部１３の第１後端部１３ｂに筒状部３の布上から係合される。この状態において、第２係合部３３と第１凹部１３との係合関係によって、通常の使用や衝撃で加わるような力では、第２係合部３３が第１凹部１３から外れない状態となる。また、ウェイトバー１０の後面側側面部１６にロック部材３１を配置することができ、ウェイトバー１０の部分における意匠を良くすることができる。
前面側覆い片３６と後面側覆い片３７との境界部は、前面側覆い片３６と後面側覆い片３７とが前後方向に撓みやすくするため、薄肉部４２が形成されている。前面側覆い片３６と後面側覆い片３７を互いに離間する前後方向に撓ませることでウェイトバー１０に対して着脱される。
【００３３】
・図１１（ａ）および（ｂ）に示すように、ウェイトバー１０からは、ウェイトダンパ１２を割愛し、ウェイトダンパ１２が取り付けられる係止溝１２ｂを第２係合部が係合される被係合部として用いてもよい。
すなわち、取付部材２１は、ウェイトバー１０の前面側側面部１５のほぼ全体を覆う前面側覆い片３６と、後面側側面部１６を第２凹部１４から上側に向かって半分程度覆う後面側覆い片３７とを備えている。
【００３４】
ロック部材３１は、後面側覆い片３７の先端部に回動可能に支持される。具体的にロック部材３１は、回動軸３２ａを備えた軸部３２に対して、第２係合部３３と操作部３４とが設けられている。第２係合部３３は、回動軸３２ａの近傍に設けられ、操作部３４は、ウェイトバー１０の後面側側面部１６の形状に倣う湾曲したレバー形状を有している。第２係合部３３は、係止溝１２ｂの近傍にも位置する。ロック位置のときは、第２係合部３３がスクリーン２における筒状部３の布上から係止溝１２ｂに係合した状態にあり、操作部３４は、後面側側面部１６に倣った状態となる。この状態において、第２係合部３３と係止溝１２ｂとの係合関係によって、通常の使用や衝撃で加わるような力では、第２係合部３３が係止溝１２ｂから外れない状態となる。そして、操作部３４が下方に回動操作され、アンロック位置となると、第２係合部３３が係止溝１２ｂから外れた状態となり、操作部３４が、後面側覆い片３７や後面側側面部１６に対して突出した状態となる。
なお、操作部３４の先端部においても、第１凹部１３と係合する係合部４３を設けるようにしてもよい。
【００３５】
・ロック部材３１の取付部材２１に対する回動支点３５と操作部３４の先端部との間の長さは、回動支点３５と第２係合部３３の先端部との間の長さよりも長くなくてもよい。例えばロック部材３１の取付部材２１に対する回動支点３５と操作部３４の先端部との間の長さと回動支点３５と第２係合部３３の先端部との間の長さが同程度であってもよい。
図１２（ａ）および（ｂ）に示すように、例えば、取付部材２１は、ウェイトバー１０の前面側側面部１５のほぼ全体を覆う前面側覆い片３６と、後面側側面部１６のほぼ全体を覆う後面側覆い片３７と、前面側覆い片３６と後面側覆い片３７との境界部に第２凹部１４に係合する第１係合部としての下部係合部３８とを備えている。
【００３６】
ロック部材３１は、後面側覆い片３７の先端部に回動可能に支持される。具体的にロック部材３１は、回動軸３２ａを備えた軸部３２に対して第２係合部３３と操作部３４とが設けられている。第２係合部３３は、回動軸３２ａの近傍に設けられ、操作部３４は、ウェイトバー１０の後面側側面部１６の形状に倣うように湾曲しているものの、第２係合部３３と同程度に短い。ロック位置のときは、第２係合部３３がスクリーン２における筒状部３の布上から第１凹部１３に係合した状態となる。この状態において、第２係合部３３と第１凹部１３との係合関係によって、通常の使用や衝撃で加わるような力では、第２係合部３３が第１凹部１３から外れない状態となる。そして、操作部３４が上方に回動操作され、アンロック位置となると、第２係合部３３が第１凹部１３から外れた状態となり、操作部３４が、後面側覆い片３７や後面側側面部１６に対して突出した状態となる。アンロック位置では、前面側覆い片３６と後面側覆い片３７とを互いに離間する前後方向に撓ませることでウェイトバー１０に対して着脱される。
【００３７】
・図１３に示すように、ロック部材３１は、取付部材２１に対して回動可能とするのではなく、スライド可能な構成としてもよい。取付部材２１には、第２凹部１４の位置にスライド支持部２７を備えている。スライド支持部２７には、ロック部材３１の上下方向のスライドを案内するスライド案内孔２８を備えている。また、ロック部材３１は、第２凹部１４の第２前端部１４ａと第２後端部１４ｂとに係合する第２係合部３３を備えている。また、ロック部材３１は、基体部４０を備え、基体部４０には、スライド支持部２７のスライド案内孔２８に係合する案内突部４１を備えている。ロック位置のときは、第２係合部３３は、第２凹部１４に対して図中矢印方向に上昇し、筒状部３の布上から第２凹部１４と係合した状態となる。この状態において、第２係合部３３と第２凹部１４との係合関係によって、通常の使用や衝撃で加わるような力では、第２係合部３３が第２凹部１４から外れない状態となる。アンロック位置のときは、第２凹部１４に対して図中反矢印方向に降下し第２係合部３３が第２凹部１４から外れた状態となる。
【００３８】
・図１４は、第１実施形態の変形例である。ロック部材３１の操作部３４は、ロック位置のときであっても、前面側側面部１５に沿った状態となるのではなく、前面側側面部１５に対して突出した状態となっていてもよい。
・第２係合部３３は、突部ではなく、凹部で構成してもよい。図１５に示すように、この凹部は、第２前端部１４ａと係合する。なお、凹部は、操作部３４とは反対側の第２後端部１４ｂと近い位置に設け、第２後端部１４ｂと係合するようにしてもよい。
要は、ウェイトバーに対する第１係合部の係合は、ウェイトバーと第１係合部との構造上の係わり合いであって、第２係合部がロック位置であるときに、スクリーンを介して、操作具支持装置をウェイトバーに取り付けることに寄与する係わり合いであればよい。また、第２係合部と被係合部との係合は、第２係合部と被係合部との構造上の係わり合いであって、操作具支持装置がウェイトバーに取り付けられた状態において、第２係合部が被係合部から外れる方向に変位することを規制することに寄与する係わり合いであればよい。
なお、スクリーン２からは、筒状部３の一部、あるいは、筒状部３の全てが割愛されてもよく、こうした形態においては、第１係合部とウェイトバーとがスクリーンを介さずに直接係合してもよいし、第２係合部と被係合部とがスクリーンを介さずに直接係合してもよい。
【００３９】
・取付部材２１やロック部材３１は、合成樹脂成形体であってもよいし、金属製であってもよい。
・取付部材２１を前面側側面部１５に取り付けるようにし、ロック部材３１の操作部がロック位置において後面側側面部１６に位置するようにしてもよい。
・第１凹部１３と第２凹部１４とは、ウェイトバー１０の上部と下部以外の位置に設けられていてもよい。
・操作具支持装置２０がウェイトバー１０に取り付けられる位置は、ウェイトバー１０の長手方向の中央部に限定されるものではなく、中央部から何れか一方に変位していてもよい。ウェイトバー１０には、複数の操作具支持装置２０が取り付けられていてもよい。
・第１凹部１３および第２凹部１４は、溝や貫通孔や有底凹部で構成されていてもよい。また、第１凹部１３と第２凹部１４とは、構成や構造や数量が互いに異なっていてもよい。
・また、第１凹部１３や第２凹部１４は、ウェイトバー１０の長手方向に沿って設けられていてもよいし、第１係合部２３や第２係合部３３が係合する位置に限って設けられていてもよい。
【符号の説明】
【００４０】
１…ロールスクリーン、２…スクリーン、３…筒状部、４…操作紐、４ａ…把持部材、５…プルハンドル、５ａ…支持軸、６…支持片、１０…ウェイトバー、１１…バー本体、１２…ウェイトダンパ、１２ａ…係止片、１２ｂ…係止溝、１３…第１凹部、１３ａ…第１前端部、１３ｂ…第１後端部、１４…第２凹部、１４ａ…第２前端部、１４ｂ…第２後端部、１５…前面側側面部、１６…後面側側面部、１７…取付凹部、２０…操作具支持装置、２１…取付部材、２２…本体部、２３…第１係合部、２４…操作具支持部、２４ａ…挿通孔、２５…回動支持部、２６…リブ、２７…スライド支持部、２８…スライド案内孔、３０…軌跡、３１…ロック部材、３２…軸部、３２ａ…回動軸、３３…第２係合部、３３ａ…第１係合面、３３ｂ…第２係合面、３４…操作部、３５…回動支点、３６…前面側覆い片、３７…後面側覆い片、３８…下部係合部、４０…基体部、４１…案内突部、４２…薄肉部、４３…係合部。
【図１】
0006783066.tif 000002
【図２】
0006783066.tif 000003
【図３】
0006783066.tif 000004
【図４】
0006783066.tif 000005
【図５】
0006783066.tif 000006
【図６】
0006783066.tif 000007
【図７】
0006783066.tif 000008
【図８】
0006783066.tif 000009
【図９】
0006783066.tif 000010
【図１０】
0006783066.tif 000011
【図１１】
0006783066.tif 000012
【図１２】
0006783066.tif 000013
【図１３】
0006783066.tif 000014
【図１４】
0006783066.tif 000015
【図１５】
0006783066.tif 000016